(57)【特許請求の範囲】
【請求項１】
天板と、該天板を支持する家具本体とを具備するものであって、
家具本体を、相互に所定角度をなして床面に配置される第１支持部及び第２支持部と、これら第１支持部及び第２支持部に載置した状態で第１支持部と第２支持部との間に掛け渡され且つ第１支持部と第２支持部とを所定の相対取付角度で連結する桟材とを具備するものとし、
天板を、第１支持部及び桟材に支持される第１天板要素と、該第１天板要素と前記所定角度をなして第２支持部及び桟材に支持される第２天板要素とから構成し、
桟材の一部を第１天板要素及び第２天板要素の下面側に形成した溝部に挿入することにより家具本体に対する第１天板要素及び第２天板要素の取付位置を位置決めしていることを特徴とする天板付家具。
【請求項２】
家具本体が、第１支持部と第２支持部とによって形成されるコーナー部の反使用縁側に配置され第１支持部及び第２支持部を相互に連結する中間支柱を具備していることを特徴とする請求項１記載の天板付家具。
【請求項３】
第１天板要素及び第２天板要素を、第１支持部と第２支持部とがなす角度を略二分割する直線に沿うように配置していることを特徴とする請求項１又は２記載の天板付家具。
【請求項４】
桟材と第１天板要素及び第２天板要素との間に、第１天板要素及び第２天板要素の移動を禁止するように桟材と第１天板要素及び第２天板要素とを係り合わせる係り合い部を形成していることを特徴とする請求項１、２又は３記載の天板付家具。
【請求項５】
係り合い部を、桟材の一部と、その一部を挿入し得るように第１天板要素及び第２天板要素の下面側に形成した溝部とから構成していることを特徴とする請求項４記載の天板付家具。
【請求項６】
第１支持部と第２支持部とを相互に略直角をなすように配置していることを特徴とする請求項１、２、３、４又は５記載の天板付家具。
【請求項７】
第１支持部と第２支持部とによって形成されるコーナー部のうち天板の使用縁に、反使用縁側に向けて窪ませた凹所を形成していることを特徴とする請求項１、２、３、４、５又は６記載の天板付家具。
【発明の詳細な説明】
【０００１】
【発明の属する技術分野】
本発明は、天板を備えた机等の天板付家具に関するものである。
【０００２】
【従来の技術】
例えば天板の使用領域を拡張した机を構成する場合、従来より、平面視長方形状或いはＬ字型形状の天板の一側縁に補助天板を配置しこれら天板及び補助天板をそれぞれの形状に対応する支持体によって支持させた構成のものなどが知られている。このような構成のものは、全体として平面視Ｌ字型、つまり異なる二方向に所定角度をなして屈曲した形状を有しており、天板や補助天板を安定的に支持するためにその天板及び補助天板の各側部に脚等からなる支持体を配置しているのが通例である。
【０００３】
【発明が解決しようとする課題】
ところで、このような構成のものでは、天板等のＬ字型のコーナー部分も使用領域として活用されるが、コーナー部分やその近傍における天板下空間に脚等の支持体が配置されることとなるため、そのコーナー部分で執務したりコーナー部分を使用縁に沿って通過する際には、前記支持体が障害物となる。特に、このようなコーナー部分にはパソコン等を配置することが多く、使用者が長時間パソコン作業をするには、支持体を跨ぐなどの窮屈な姿勢を強いられることとなり、快適な作業を行うことが困難である。また、上述のＬ字型天板に補助天板を接合したような構成の机において、コーナー部分にパソコン等の重量物を載せると、その荷重が天板の端部に偏って作用することになるため、安定性も損なわれやすいという問題が生じる。
【０００４】
【課題を解決するための手段】
本発明は、以上のような諸問題に鑑みて、特にコーナー部分等に障害物がなく、快適な作業を行うことができ、しかも天板上の重量物の荷重を安定的に受けることができる天板付家具を構成するものである。
【０００５】
【発明の実施の形態】
すなわち、本発明の天板付家具は、天板と、該天板を支持する家具本体とを具備するものであって、家具本体を、相互に所定角度をなして床面に配置される第１支持部及び第２支持部と、これら第１支持部及び第２支持部に載置した状態で第１支持部と第２支持部との間に掛け渡され且つ第１支持部と第２支持部とを所定の相対取付角度で連結する桟材とを具備するものとし、天板を、第１支持部及び桟材に支持される第１天板要素と、該第１天板要素と前記所定角度をなして第２支持部及び桟材に支持される第２天板要素とから構成し、桟材の一部を第１天板要素及び第２天板要素の下面側に形成した溝部に挿入することにより家具本体に対する第１天板要素及び第２天板要素の取付位置を位置決めしていることを特徴とする。
【０００６】
このような構成のものであれば、天板の荷重が、第１支持部及び第２支持部と桟材とに安定的に支持されることとなるため、特に第１支持部及び第２支持部によって形成されるコーナー部における天板上に載せた重量物の荷重も、偏りなく安定して家具本体に支持させることができる。また、前記コーナー部における使用縁側に脚等を配置しなくても天板を安定支持できるような構成とすることもできるため、使用者の足に対する障害物をなくしてコーナー部における天板下空間を広く確保し、快適な作業を行い得ることとなる。さらに、上記のような構成の桟材がない場合には第１支持部と第２支持部のなす角度が定まらず、これら支持部に天板を載せた後に角度調整を行わなければならないという不具合が生じるが、本発明では両支持部に桟材を掛け渡した状態で取り付けることによって、両支持部のなす角度が一意的に決定されることとなるため、前述のような不具合が生じることがなく、家具本体の適切な組立を実現できることとなる。
【０００７】
特に、家具本体を安定的に自立させ、且つ少なくとも使用縁側における天板下空間を障害物なく広く確保するためには、家具本体に、第１支持部と第２支持部とによって形成されるコーナー部の反使用縁側に配置され第１支持部及び第２支持部を相互に連結する中間支柱を具備させることが望ましい。
【０００８】
好ましい天板の具体的態様としては、第１支持部及び桟材に支持される第１天板要素と、該第１天板要素と前記所定角度をなして第２支持部及び桟材に支持される第２天板要素とから構成しているものが挙げられる。このようにすることで、第１天板要素の荷重を第１支持部と桟材を介して第２支持部とに分散させ、一方第２天板要素の荷重を第２支持部と桟材を介して第１支持部とに分散させることとなり、安定した天板の支持が実現されることとなる。また、このように天板を分割することで、天板の大型化も防止できることとなる。
【０００９】
この場合、特にコーナー部に載せたパソコン等の荷重を第１支持部と第２支持部とに略均等に分散させるようにするためには、第１天板要素及び第２天板要素を、第１支持部と第２支持部とがなす角度を略二分割する直線に沿うように配置することが好ましい。このようにしてコーナー部にパソコン等を載せることで前記継ぎ目をパソコン等で有効に隠し、継ぎ目がパソコン用マウス等の障害とならないようにすることも可能となる。
【００１０】
また、第１天板要素及び第２天板要素を所定の位置にズレなく確実に保持するためには、桟材と第１天板要素及び第２天板要素との間に、第１天板要素及び第２天板要素の移動を禁止するように桟材と第１天板要素及び第２天板要素とを係り合わせる係り合い部を形成することが好ましい。
【００１１】
この場合における簡素な構成の係り合い部としては、桟材の一部と、その一部を挿入し得るように第１天板要素及び第２天板要素の下面側に形成した溝部とから構成したものが挙げられる。
【００１２】
また、複数の天板付家具を隣接配置して見栄えの良好なモジュールを組みやすい構成のものとするためには、第１支持部と第２支持部とを相互に略直角をなすように配置することが有効となる。
【００１３】
さらに、第１支持部と第２支持部とによって形成されるコーナー部のうち天板の使用縁側において、使用者が天板に近付いて楽な執務姿勢をとりやすいようにするためには、その使用縁に反使用縁側に向けて窪ませた凹所を形成していることが望ましい。
【００１４】
【実施例】
以下、本発明の一実施例を、図１〜図５を参照して説明する。
【００１５】
図１に示すこの実施例は、天板２と、この天板２を支持する家具本体たる机本体３とを具備してなる天板付家具たる机１である。
【００１６】
まず、机本体３は、図１〜図３に示すように、相互に略直角をなして床面に配置される第１支持部３Ａ及び第２支持部３Ｂと、これら両支持部３Ａ、３Ｂを連結する中間支柱３１及び桟材３２とから構成している。第１支持部３Ａは、第２支持部３Ｂと連結されない側において床面に接地されるベース３Ａ１と、このベース３Ａ１上に起立状態で支持される側板３Ａ２と、側板３Ａ２の上端部に取り付けたステー３Ａ３と、ステー３Ａ３の内側面側に一端部を取り付けられて略水平に延び他端部を中間支柱３１の上端部３１ａに取り付けた角パイプ材からなる横架材３Ａ４とから構成している。側板３Ａ２の背面側における上端部には、机１に付帯して使用される背面パネル（図示せず）等を取り付けるための取付具３Ａ５を設けており、これに対応して中間支柱３１にも同様の取付具３３を設けている。なお、これら取付具３Ａ５、３３間には背面カバー３４を取り付けており、この背面カバー３４の上端部を後述する天板２の上面と略同一の高さ位置になるように設定している。一方、第２支持部３Ｂは第１支持部３Ａと同一の構成を有するものであり、第１支持部３Ａとは左右が異なるのみで同様のベース３Ｂ１、側板３Ｂ２、ステー３Ｂ３、横架材３Ｂ４及び取付金具３Ｂ５を備えている。このような第１支持部３Ａと第２支持部３Ｂとを略直角をなして連結するために、中間支柱３１を前記ステー３Ａ３、３Ｂ３の上端部と略同一の高さ寸法を有する角パイプ材からなるものとし、その隣接する側壁における上端部３１ａに横架材３Ａ４、３Ｂ４の端部を取り付けるようにしている。その際、該上端部３１ａには、略水平に突出する図示しない突起部を設け、これら突起部に横架材３Ａ４、３Ｂ４の端部を挿入した位置でボルト止めするなどして、この中間支柱３１を介して第１支持部３Ａと第２支持部３Ｂとを連結している。このような構成によって、机本体３は、第１支持部３Ａ及び第２支持部３Ｂがなすコーナー部Ｚの内側に脚等を設けることなく安定的に自立される。桟材３２は、板金素材を遡性変形加工することにより水平壁３２ａと前後一対の起立壁３２ｂとを形成した上向きに開口するチャネル材である。そして、桟材３２の水平壁３２ａにおける両側端部にナット３２Ｎを溶接などにより固定するとともに、両横架材３Ａ４、３Ｂ４には中間支柱３１から等距離離れた箇所に上下に貫通するボルト挿入孔３Ａ４ａ、３Ｂ４ａをそれぞれ形成し、桟材３２を両横架材３Ａ４、３Ｂ４に載せた状態で下方からボルト挿入孔３Ａ４ａ、３Ｂ４ａにボルト３２Ｂを挿入して前記ナット３２Ｎに締め付けることで、両横架材３Ａ４、３Ｂ４及び桟材３２によって中間支柱３１を直角の頂点とする平面視略直角二等辺三角形をなすように、桟材３２を取り付けている。このようにすることで、第１支持部３Ａと第２支持部３Ｂとを、強固に略直角をなした状態で連結している。
【００１７】
天板２は、図１〜図５に示すように、平面視概略矩形状をなす木製平板状の２枚の天板要素２Ａ、２Ｂからなる。なお、ここでは説明の便宜上、前記第１支持部３Ａ側に支持される天板要素を第１天板要素２Ａ、第２支持部３Ｂ側に支持される天板要素を第２天板要素２Ｂと称する。
【００１８】
第１天板要素２Ａは、略一直線状に延び前記ステー３Ａ３から中間支柱３１までの距離と略同一長さを有する一辺を反使用縁２Ａｂとし、その一辺と略直交し前記ステー３Ａ３よりも若干長い寸法を有する一辺を外側縁２Ａｃとしたものである。そして、内側縁２Ａｄ側に、使用縁２Ａａ側から反使用縁２Ａｂ側に向けて幅寸法を漸次拡大するように一直線状に傾斜する傾斜辺２Ａ１を形成し、その傾斜辺２Ａ１と反使用縁２Ａｂとがなす角度を略４５°となるように設定している。また、使用縁２Ａａのうち内側縁２Ａｄ側に、部分円弧状に滑らかに湾曲させて外側縁側よりも奥行き寸法を小さくした凹部２Ａ２を形成している。さらに、第１天板要素２Ａの下面には、図３〜図５に示すように、この第１天板要素２Ａを机本体３に取り付けた位置で前記桟材３２と対応するように、傾斜辺２Ａ１と略直交する溝部２Ａ３を形成している。この溝部２Ａ３は、桟材３２の一対の起立壁３２ｂを挿入し得るように下方に開口した一対の細長い溝条２Ａ３ａからなり、傾斜辺２Ａ１側の端部をその傾斜辺２Ａ１を構成している内側面に開放し、両溝条２Ａ３ａの反対側の端部を底面視矩形状に連続させて桟材３２のナット３２Ｎを逃がすようにしている。しかして、これら溝部２Ａ３と桟材３２の起立壁３２ｂとによって、第１天板要素２Ａを机本体３に取り付けた位置で移動不能に保持する係り合い部Ｘを形成している。また、下面における溝部２Ａ３よりも使用縁２Ａａ側には、傾斜辺２Ａ１に沿って下方に開口する底面視矩形状の穴部２Ａ４を形成しており、この穴部２Ａ４を内側面に向けて形成した断面略円形の貫通孔２Ａ４ａを通じて内側方に連通させている。さらに、下面側における両溝条２Ａ３ａの間の平坦部分は、該下面よりも桟材３２の水平壁３２ａの厚み分だけ上方に位置づけて、第１天板要素２Ａがステー３Ａ３及び横架材３Ａ４に確実に接した状態で支持されるようにしている。
【００１９】
一方、第２天板要素２Ｂは、前記第１天板要素２Ａをちょうど左右反転させた平面視形状を有するもので、第１天板要素２Ａと同様に内側縁２Ｂｄ側に傾斜辺２Ｂ１を具備しており、その傾斜辺２Ｂ１を第１天板要素２Ａの傾斜辺２Ａ１に接合させた状態で机本体３に取り付けられる。そのため、第２天板要素２Ｂにも、第１天板要素２Ａと同様の構成の溝部２Ａ３や穴部２Ａ４及び貫通孔２Ｂ４ａ等を設けており、傾斜辺２Ａ１、２Ｂ１同士を接合した状態で、第１天板要素２Ａと第２天板要素２Ｂの溝部２Ａ３、２Ｂ３同士が一直線状に連続し、また、穴部２Ａ４、２Ｂ４同士が両貫通孔２Ａ４ａ、２Ｂ４ａを通じて連通するようにしている。そして、一方の穴部２Ａ４にナットＮを待機させるとともに、他方の穴部２Ｂ４にはボルトＢを収容してその軸部を貫通孔２Ａ４ａ、２Ｂ４ａに挿入しナットＮに締め付けることによって、両天板要素２Ａ、２Ｂを略直交するように連結している。このようにすることで、前記接合部分で略直角に屈曲する使用領域２Ｓを備えた天板２を構成している。
【００２０】
なお、両天板要素２Ａ、２Ｂの反使用縁２Ａｂ、２Ｂｂにおける両側端部及び幅方向略中央部には切欠部２Ａ５、２Ｂ５を形成し、各切欠部２Ａ５、２Ｂ５をそれぞれに対応する形状の樹脂製等のカバー２Ｃで隠すようにしている。これら切欠部２Ａ５、２Ｂ５は、前記横架材３Ａ４、３Ｂ４に図示しないデスクトップパネルや棚、電気スタンド等のオプション部材を支持させるためのポールを起立状態で取り付ける際に、該ポールが天板要素２Ａ、２Ｂと干渉しないようにするために形成したものである。
【００２１】
しかして、この机１を組み立てる際には、まず、第１支持部３Ａと第２支持部３Ｂとを中間支柱３１を介して一体的に連結し、さらに両支持部３Ａ、３Ｂの横架材３Ａ４、３Ｂ４に桟材３２を掛け渡してボルト３２Ｂで止めることによって、机本体３を組み立てる。このようにして組み立てた机本体３に対して、第１支持部３Ａのステー３Ａ３及び横架材３Ａ４に第１天板要素２Ａを載せ、溝部２Ａ３に桟材３２の起立壁３２ｂを挿入した位置で、下方から第１天板要素２Ａをステー３Ａ３や横架材３Ａ４の適宜箇所にボルト止めして固定する。一方、第２天板要素２Ｂも同様にして溝部２Ｂ３に桟材３２の起立壁３２ｂを挿入した位置で第２支持部３Ｂに固定する。さらに、その状態で穴部２Ａ４、２Ｂ４に収容したボルトＢ及びナットＮを用いて両天板要素２Ａ、２Ｂを連結することで、机１が完成する。
【００２２】
また、この机１においてパソコンＰを好適に使用するには、図５に想像線で示すように、組み立てられた天板２のうち両天板要素２Ａ、２Ｂによって形成されるコーナー部ＺにパソコンＰ等を配置する。その際、パソコンＰ及びそれと共に使用されるキーボードＫを、相互に接合された両天板要素２Ａ、２Ｂの傾斜辺２Ａ１、２Ｂ１を跨ぐように配置し、その側方にマウスＭを配置するようにする。この場合、使用縁２Ａａ、２Ｂａにおけるコーナー部Ｚには、両天板要素２Ａ、２Ｂに形成した凹部２Ａ２、２Ｂ２が一体的に連続して天板２の使用領域２Ｓが反使用縁側２Ａｂ、２Ｂｂに後退した凹所２Ｙが形成されることになり、使用者は十分に天板１上のパソコンＰに接近して、キーボードＫやマウスＭの操作を行い得ることとなる。
【００２３】
以上のような構成の本実施例は、相互に略直角をなして配置した第１支持部３Ａ及び第２支持部３Ｂの間に桟材３２を掛け渡し、これら両支持部３Ａ、３Ｂと桟材３２とによって天板２の荷重を支持させるようにしているため、天板２の荷重を、これら両支持部３Ａ、３Ｂ及び桟材３２に分散されて安定的に支持させることができ、ひいては例えば両支持部３Ａ、３Ｂによって形成されるコーナー部Ｚの天板２上にパソコンＰを載せた場合、そのパソコンＰ荷重をも一方の支持部３Ａ又は３Ｂに偏ることなく安定して支持させることが可能である。また、さらに、第１支持部３Ａと第２支持部３Ｂとの間に桟材３２を掛け渡して着脱可能に取り付けているため、この桟材３２を取り付けた状態で両支持部３Ａ、３Ｂのなす角度を容易に略直角に決定することができる。このことによって、これら各構成部品を机１に組み立てた後で両支持部３Ａ、３Ｂの角度調整を行う手間が不要となるため、その組み立てに係る手間を軽減しつつより強固で適切な組立状態を得ることが可能である。さらに、このような構成による机本体３で天板２を支持するようにしているため、コーナー部Ｚの使用縁２Ａａ、２Ｂａ側には脚等の支持要素を配置する必要がなく、天板下空間から使用者の足への障害物を排除して、広く快適な作業空間を得ることもできる。
【００２４】
また、第１支持部３Ａ及び第２支持部３Ｂは、コーナー部Ｚの反使用縁２Ａｂ、２Ｂｂ側において中間支柱３１で相互に連結されているので、机本体３が安定的に自立されるうえに、上述のような広い天板下空間を容易に確保することができる。
【００２５】
また、天板２は、第１支持部３Ａ側に配置した第１天板要素２Ａと、第２支持部３Ｂ側に配置した第２天板要素２Ｂとから構成したもので、各天板要素２Ａ、２Ｂをそれぞれの側の支持部３Ａ、３Ｂと桟材３２とに支持させているので、天板２の構成要素の大型化を招くことなく、各天板要素２Ａ、２Ｂの荷重を机本体３の構成要素に適切に分散させて安定的に支持することができる。特に、両天板要素２Ａ、２Ｂの継ぎ目は、両支持部３Ａ、３Ｂがなす直角を二等分するようなものであるため、コーナー部ＺにパソコンＰを載せることで継ぎ目をパソコンＰで有効に隠して外観を良好に維持しつつ、そのパソコンＰの荷重を両天板要素２Ａ、２Ｂに略均等に分散させ、安定的に支持することができる。また、たとえ第１天板要素２Ａと第２天板要素２Ｂとの継ぎ目に若干の段差が生じたとしても、その継ぎ目は前述のようにパソコンＰで隠されているため、マウスＭの操作に支障を生じることがない。
【００２６】
さらに、桟材３２と両天板要素２Ａ、２Ｂとの間には、桟材３２に起立壁２１ｂと天板要素２Ａ、２Ｂに形成した溝部２Ａ３、２Ｂ３とからなる係り合い部Ｘを形成しており、天板要素２Ａ、２Ｂを桟材３２が溝部２Ａ３、２Ｂ３にはまり込むように配置することで、天板２の移動が容易に禁止され、天板２を所定の位置に確実に保持することが可能である。
【００２７】
また、第１支持部３Ａと第２支持部３Ｂとは相互に略直角をなすように配置しているので、本実施例と同様の構成の複数の机１をコーナー部Ｚで集合させてモジュールを組むことが容易となり、オフィス等における机１の配置状態のレイアウトを多様化することも容易である。
【００２８】
さらに、このような机１において天板２のコーナー部Ｚのうち使用縁２Ａａ、２Ｂａに凹所２Ｙを形成することで、コーナー部Ｚに着座した使用者が天板２に近付きやすくなり、パソコン作業等も楽な姿勢で行うことができる。
【００２９】
なお、本発明では、上記実施例のように第１支持部と第２支持部、及び第１天板要素と第２天板要素をそれぞれ同一の構成のものとする必要はなく、適宜異なる構成のものを適用することができる。
【００３０】
その他、各部の具体的構成は、上記実施例に限られるものではなく、本発明の趣旨を逸脱しない範囲で種々変形が可能である。
【００３１】
【発明の効果】
本発明は、以上説明したような形態で実施され、以下に記載されるような効果を奏する。
【００３２】
すなわち、本発明の天板付家具は、相互に所定角度をなして配置され共に天板を支持する第１支持部及び第２支持部の間に桟材を掛け渡した構成の家具本体に、天板の荷重を支持させるようにしている。したがって、天板の荷重は、家具本体を構成する第１支持部及び第２支持部と桟材と支持されるため、例えば第１支持部及び第２支持部によって形成されるコーナー部においてパソコン等を天板上に載せた場合でも、その荷重を一方の支持部に偏りることなく安定して支持させることが可能である。さらに、第１支持部及び第２支持部に載置した状態で第１支持部と第２支持部との間に桟材を掛け渡され且つ第１支持部と第２支持部とを所定の相対取付角度で連結して取り付けることにより両支持部のなす角度が決定されるので、家具本体に天板を載せた後で両支持部の角度調整をする必要をなくし、本天板付家具の組み立てに係る手間を軽減しつつ適切な組立状態を得ることができる。また、このような構成では、コーナー部における使用縁側に脚等を配置せずに両支持部の反コーナー部側の端部に脚等を配置した態様をとることができるので、使用者の足に対する障害物を天板下空間から排除して天板下空間を広く確保し、快適な作業を行うことができる。
【００３３】
特に、家具本体が、前記コーナー部の反使用縁側において第１支持部及び第２支持部を相互に連結する中間支柱を具備している場合には、この中間支柱と例えば両支持部の反コーナー部側の端部に配置した脚等によって家具本体を安定的に自立させることができ、しかも使用縁側における天板下空間を障害物なく広く確保することが可能である。
【００３４】
また、天板を第１支持部側及び第２支持部側にそれぞれ配置される第１天板要素及び第２天板要素を具備してなるものとして、各天板要素をそれぞれの側の支持部と桟材とに支持させるように構成している場合には、天板の各構成要素の大型化を防止しつつ、各天板要素の荷重を家具本体に適切に分散させて安定的に支持することができる。
【００３５】
このような場合において、両天板要素の継ぎ目を、第１支持部と第２支持部とがなす角度を二分割する直線と略合致させるようにすれば、コーナー部にパソコン等を載せることで継ぎ目をパソコン等で有効に隠して外観の向上を図りつつ、そのパソコン等の荷重を各天板要素を介して第１支持部と第２支持部とに略均等に分散させ、安定的に設置することができる。さらに、前述のように前記継ぎ目はパソコン等で隠すことができるため、それによってたとえ両天板要素の継ぎ目に若干の段差が生じても、マウス操作に支障を来したりその部位を手が通過する際に不快感を感じるなどの不具合も解消することができる。
【００３６】
さらに、桟材と天板との間に係り合い部を形成し、これらを相互に係り合わせることで天板の移動を禁止するように構成している場合には、家具本体に支持された天板のズレを防止し、所定の位置に確実に保持することが可能である。特にこのような係り合い部は、桟材の一部と、その一部を挿入し得るように天板の下面側に形成した溝部とから形成すれば、自重によって天板の溝部に桟材がはまり込むため、簡素な構成で確実な天板の保持を実現することができる。
【００３７】
また、家具本体の一態様として第１支持部と第２支持部とを相互に略直角をなすように配置している場合には、複数の天板付家具を隣接配置してモジュールを組むことが容易となり、オフィス等における天板付家具の配置状態の多様化を図ることができる。
【００３８】
以上のような構成において、コーナー部のうち天板の使用縁に凹所を形成している場合には、使用者が天板に近付きやすくそのコーナー部でパソコン作業をする場合にも、楽な姿勢をとり作業効率を向上することもできる。
【図面の簡単な説明】
【図１】本発明の一実施例を示す斜視図。
【図２】同実施例を分解して示す斜視図。
【図３】図２における要部を拡大して示す斜視図。
【図４】同実施例の一使用例を示す平面図。
【図５】図４におけるＶ−Ｖ線断面図。
【符号の説明】
１…天板付家具（机）
２…天板
２Ａ…第１天板要素
２Ａ３、２Ｂ３…溝部
２Ｂ…第２天板要素
２Ｙ…凹所
３…家具本体（机本体）
３Ａ…第１支持部
３Ｂ…第２支持部
３１…中間支柱
３２…桟材
Ｘ…係り合い部
Ｚ…コーナー部
【図１】
0003767313.tif 000002
【図２】
0003767313.tif 000003
【図３】
0003767313.tif 000004
【図４】
0003767313.tif 000005
【図５】
0003767313.tif 000006